(57)【要約】【課題】ガムの取り出し操作の度にガムの噛み滓を包み紙に包んで一時保管できる使い勝手のよい粒ガムの携帯用ケースを提供すること。【解決手段】スライド式の携帯ケースであって、粒ガムの出し入れ口３ａを有する貯蔵室と、噛み滓投開口３ｂを有する滓溜室と滓溜室に設けた底蓋を有する内箱３の上面にガム滓用包み紙４の載置台を設けたもので、新しい粒ガムの取り出しと同時に噛み滓を包んで滓溜室に投入することができ、ガム滓の排出には内箱３をガム取り出し時とは逆方向にスライドさせることにより自動的に滓溜室の底蓋が開くようになっている。【選択図】図１
2008019000.tif 000002
【特許請求の範囲】
【請求項１】
角筒状の外鞘と、これに摺動可能に収納された内箱を有し、該内箱には粒状チューインガムの出し入れ口を有する粒ガム貯蔵室と、ガムの噛み滓を投入する噛み滓投入開口と前記噛み滓を排出する底蓋とを備えた滓溜室を有することを特徴とするチューインガム用携帯ケース。
【請求項２】
粒状チューインガムの貯蔵室は滓溜室の側面外周をＬ字状に囲繞するガム通路を兼用することを特徴とする請求項１記載のチューインガム用携帯ケース。
【請求項３】
ガム通路を兼用する貯蔵室には天井板が張り渡されていることを特徴とする請求項２記載のチューインガム用携帯ケース。
【請求項４】
滓溜室の上面には、ガムの噛み滓を投入する噛み滓投入開口とガムの噛み滓用包み紙を載せておく載置台が形成され、滓溜室の底面には、噛み滓排出部として開閉式の底蓋が設けられていることを特徴とする請求項１又は２記載のチューインガム用携帯ケース。
【請求項５】
載置台は、ガムの噛み滓を投入する噛み滓投入開口に向けて登り気味の傾斜を有していることを特徴とする請求項３記載のチューインガム用携帯ケース。
【請求項６】
ガムの貯蔵室に設けられたガムの出し入れ口は内箱の前方側面部に、ガムの噛み滓を投入する噛み滓投入開口は滓溜室の前方上面部に、噛み滓を排出する排出部の底蓋は滓溜室の後方底面部に設けられており、通常は、外鞘を後方に引いてガムの出し入れと噛み滓の投入操作を行い、外鞘を前方に押し出して底蓋を開きガムの噛み滓を排出することを特徴とする請求項１〜５のいずれかに記載のチューインガム用携帯ケース。
【発明の詳細な説明】
【技術分野】
【０００１】  本発明は、粒状のチューインガム（以下「粒ガム」という）を収納する携帯用のケースに関し、特にガムの噛み滓を廃棄処理するための包み紙を備えた、操作性に優れた携帯ケースである。
【背景技術】
【０００２】  最近では、外国のアスリストの影響か、チューインガムを咬みながら町を歩く人間が多くなり、その噛み滓をそのまま地面に吐き捨てるため、歩道や駅の構内などで靴の裏にチューインガムの噛み滓が貼り付いて不快な思いをした経験のない人は少くない。
そのため、チューインガム（以下単に「ガム」と呼ぶ）の噛み滓の廃棄問題に関し、少なからず特許や実用新案が出願されている。
例えば特許文献１、２では、ガムの噛み滓を包む包み紙を備えたガムケースであるが、必ずしもガムの噛み滓を包むとは限らず、そのまま路上に放棄される場合もあり、備え付けの包み紙にガムの噛み滓を包んだとしても、そのまま路上に廃棄される場合も考えられる。包み紙に包まれたまま路上に放棄されれば、噛み捨ての儘よりは良いとしてもあまり噛み滓の廃棄問題が改善されたとは見られない。
そこで、特許文献３では、ガムの噛み滓を路上に放棄しないようにガムケースの中にガムの噛み滓を一時保管できるように成っている。
また、特許文献４では、ガムの噛み滓を包む包み紙を備え、更に包んだガムの噛み滓を保管することが出来るようになっている。【０００３】  しかしながら、特許文献４のガムケースでも機構や構造が複雑で、蓋の開閉や使い勝手の点で必ずしもガムケースの使用者がガムの噛み滓を包み紙に包んで、一時保管するとは限らない。
【特許文献１】  特開２００５−８２２４４号公報
【特許文献２】  特開２００４−１７５３６２号公報
【特許文献３】  特開２００６−３６２５９号公報
【特許文献４】  特開２００３−３４３７１号公報
【発明の開示】
【発明が解決しようとする課題】
【０００４】  そこで、本発明は、前述のガムケースを更に簡単な構成で、使い勝手がよく、取扱い容易で、使用者をしてガムの取り出し操作の度に、必ずガムの噛み滓を包み紙に包んで一時保管することを認識させる構造にした粒ガムの携帯ケースを提供すると共に、安全で清潔な歩道環境の保持を目的とするものである。
【問題を解決するための手段】
【０００５】  本発明は、前記目的を達成するため、請求項１の発明は、角筒状の外鞘と、これに摺動可能に収納された内箱を有し、該内箱には粒状チューインガムの出し入れ口を有する粒ガム貯蔵室と、ガムの噛み滓を投入する噛み滓投入開口３ｂと前記噛み滓を排出する底蓋を備えた滓溜室を有することを特徴とするもので、操作上の簡便さを有する構造となっている。
請求項２の発明は、粒ガムの貯蔵室は滓溜室の側面外周をＬ字状に囲繞するガム通路を兼用することを特徴とするもので、小型ケースのスペースを有効に利用した構造となっている。
【０００６】  請求項３の発明は、ガム通路を兼用する貯蔵室には天井板が張り渡されていることを特徴とするもので、衛生面の保持と必要に応じて天井板を透明な材質で構成することにより、ガムの残量確認もできる効果を有する。
請求項４の発明は、滓溜室の上面には、ガムの噛み滓を投入する開口部とガムの噛み滓用包み紙を載せておく載置台が形成され、滓溜室の底面には、開閉式の底蓋を有する噛み滓排出部が設けられていることを特徴とするもので、外鞘又は内箱を前後にスライドさせることにより、ワンタッチでガムの取り出しや排出ができるようになっている。
【０００７】  請求項５の発明は、載置台は、ガムの噛み滓を投入する開口部に向けて登り気味の傾斜を有していることを特徴とするもので、ガムの噛み滓を包む包み紙の取り出しが容易な構造となっている。
請求項６の発明は、ガムの貯蔵室に設けられたガムの出し入れ口は内箱の前方側面部に、ガムの噛み滓を投入する開口部は滓溜室の前方上面部に、噛み滓を排出する排出部である底蓋は滓溜室の後方底面に設けられており、通常は、外鞘を後方に引いてガムの出し入れと噛み滓の投入操作を行い、外鞘を前方に押しだして底蓋を開きガムの噛み滓を排出することを特徴とするもので、本発明のガムケースの操作を確実に行うための各構成の位置関係を特定したものである。
【発明の効果】
【０００８】  本発明は、外鞘と内箱の相対的摺動操作による簡単なワンタッチ構成で操作性と使い勝手を容易にすると共に、ガムの取り出し口と滓溜室等の相対的位置関係の特定により、使用者をしてガムの取り出しの度に噛み滓を包み紙に包んで一時保管する意識を喚起させることができ、安全で清潔な歩道環境の保持を行うと言う環境保全効果をも発揮することができるのである。
【発明を実施するための最良の形態】
【０００９】  以下、本発明のガムケースの実施形態を図１〜６に基づいて説明する。
図１は本発明の説明用組み立て斜視図である。１はガムケースの全体を示し、このガムケースは外鞘２と内箱３とから構成されており、内箱３は外鞘２の中に外鞘２と相対的に摺動可能に挿入されている。内箱３は図において左側（以下「前方」と言う）に粒ガムの出し入れ口３ａとガムの噛み滓を投入する噛み滓投入開口３ｂを有している。４はガムの噛み滓用包み紙で所定の大きさの枚葉紙を積み重ねて使用される。
このガムケースの材料については、特に指定する必要はないが、合成樹脂による成型品の場合は食品としてのガム容器であることを考慮して選択する必要がある。【００１０】  図２は本発明ガムケースの内箱３の平面図で、図３はそのＸ−Ｘ断面図、図４は底面図である。図５は本発明のガムケースの内箱３の斜視図で、説明の便宜上、粒ガム貯蔵室３ｇの天井板３ｅを外して表示してある。
図３について説明すると、３ｈは滓溜室で、ガムの噛み滓を紙に包んで一時的に保管するところである。その上部の天井板の前方にはガムの噛み滓を投入する噛み滓投入開口３ｂが設けられ、後方には前記噛み滓投入開口３ｂに向かって登り気味の傾斜を有するガム滓の包み紙用載置台３ｆが形成されている。このように傾斜させることにより堆積された包み紙は破線で示すようにその先端部が少し浮き上がり気味に突出し、取り出す場合に指先が掛かりやすくなり、容易に１枚ずつ取り出すことができる効果を有するのである。
３ｅは粒ガム貯蔵室の天井板で、衛生面の保持のため、ガム通路を兼用する貯蔵室３ｇに張り渡されている。この天井板３ｅは必要に応じて透明又は半透明の材質で構成することにより、ガムの残量確認もできる効果を有する。【００１６】  また、図４に見られるように内箱３の底板部で、滓溜室３ｈの底板面に相当するところには、舌片３１を備えた開閉式の底蓋３ｃが設けられており、ここから滓溜室３ｈに溜まったガムの噛み滓を排出するのである。
底蓋３ｃの開閉機構は底板の一部を薄く残した溝を切り、外側に開き癖を付けた弾性ヒンジが好ましいが、必要に応じて舌片の先端部に道糸を設けて開くようにしてもよい。
また、板バネやコイルバネと組み合わせた蝶番を使用することもできるが、これらの点は形状と操作性を損なわない範囲において自由に設計変更可能である。
この底蓋３５ｃは、後述する本発明の位置関係により通常は閉塞されているが、特に必要な場合のみ、ガムケースの外鞘２の位置によって自動的に開いて滓溜室からガムの噛み滓を排出できるようになっている。【００１７】  以上説明した本発明のガムケースは、内箱のガム貯蔵室に設けられたガムの出し入れ口３ａが内箱３の前方側面に、ガムの噛み滓を投入する噛み滓投入開口３ｂが滓溜室前方上面部に、噛み滓を排出する排出部の底蓋３ｃが滓溜室の後方底面に設けられた相対的な位置関係を有しており、このような内箱３が外鞘２の中に摺動可能に収納されているのである。【００１８】  図６は本発明のガムケースの操作説明図で、（ａ）はガムケースの外鞘２を後方、つまり矢印Ｂ方向に移動した場合の状態図である。
（ｂ）はガムケースの外鞘２を前方、つまり矢印Ｆ方向に移動した場合の状態図である。
以下に本発明の使用の形態を図６の操作説明図と共に説明する。
通常、内ケース３は外鞘２の中にきちんと収納されている。粒ガムを携帯するに先立ち、外鞘２を図６の（ａ）のように矢印Ｂ方向に引くと内箱３からはガムの出し入れ口３ａが現れる。そこで別に準備した粒ガムを出し入れ口３ａから貯蔵室３ｇに必要な数だけ入れ、載置台３ｆに包み紙をセットし、外鞘２を元に戻して内箱を元の状態に戻し携帯準備が完了する。【００１９】  ガムを必要とするときは、外鞘２を矢印Ｂ方向に移動させ内箱３を引き出すと、ガムケースの側面にはガム出し入れ口３ａが現れ、上面には噛み滓投入開口３ｂと包み紙４が現れる。そこで準備した粒ガムを取り出し口から粒ガム貯蔵室３ｇに入れて内箱を元の状態に戻す。
最初のガムを噛み終わって次のガムを必要とする時又はそのまま廃棄する場合は、再び内箱３を図１の状態に引き出す。すると上面に噛み滓投入開口３ｂと包み紙４が現れるので、躊躇無くガムの噛み滓を包み紙に包み、これを投入開口３ｂから滓溜室３ｈに落とし込み、内箱３を元の状態に収納する。【００２０】  このような操作を繰り返し、滓溜室３ｈが満杯になるか噛み滓を排出する必要が生じた場合は、図６の（ｂ）に示すように外鞘２を前方、つまり矢印Ｆの方向に移動させることにより、ガムの出し入れ口３ａは閉じられ、同時に上面の噛み滓投入開口３ｂも包み紙も外鞘内に収納され、代わりに滓溜室の底蓋３ｃが自動的に開き、溜まっていた噛み滓を排出することができる。そして噛み滓の排出後は、再び外鞘２を矢印Ｆと反対の方向に引くか内箱３を外鞘内に押し込むかすることにより、底蓋３ｃは外鞘に押されて自動的に閉じて収納される。【００２１】  以上のように、本発明のガムケースでは、単に外鞘から内箱を左右に出し入れするだけでガムの出し入れから包み紙の取り出し及び噛み滓の排出までの一連の操作を容易に行うことができるだけでなく、使用者をしてガムの取り出しの度に噛み滓を包み紙に包んで一時保管させる意識を喚起させることができ、安全で清潔な歩道環境の保持を行うと言う環境保全効果をも発揮できるのである。
【図面の簡単な説明】
【００２２】
【図１】本発明の説明用組み立て斜視図である。
【図２】同ガムケースの内箱３の平面図である。
【図３】同ガムケースの内箱３のＸ−Ｘ断面図
【図４】同ガムケースの内箱３の底面図である。
【図５】同ガムケースの内箱３の斜視図である。
【図６】同ガムケースの操作説明図である。
【符号の説明】
【００２３】  １・・・ガムケース
２・・・外鞘
３・・・内箱
３ａ・・・ガムの出し入れ口
３ｂ・・・噛み滓投入開口
３ｃ・・・底蓋
３ｅ・・・天井板
３ｆ・・・載置台
３ｇ・・・粒ガム貯蔵室
３ｈ・・・滓溜室
４・・・包み紙
【図１】
2008019000.tif 000003
【図６】
2008019000.tif 000004
【図２】
2008019000.tif 000005
【図３】
2008019000.tif 000006
【図４】
2008019000.tif 000007
【図５】
2008019000.tif 000008